(57)【要約】【課題】ページング制御機を用いて無線通信システムで遊休モードにある移動局を支援する方法を提供する。【解決手段】移動局が遊休モードに進入する段階と、同じページンググループに属した複数の基地局のうち少なくとも一つから、前記ページング制御機から転送されたページング案内に対する応答として前記複数の基地局のうち少なくとも一つから発生し、前記移動局が遊休モードにある間、前記ページンググループに含まれた複数の基地局のうち少なくとも一つに関する前記移動局の連結可能性を確認するためにレインジングを行うことと関連したページング命令語アクションコードを含むページング命令語を受信する段階と、前記同じページンググループに属した複数の基地局は前記ページング制御機から遊休モード終了状態を受信し、前記移動局は前記遊休モードを終了し、前記複数の基地局のうち一つと連結を設定する段階と、を含んでなる。【選択図】図１
2008502203.tif 000002
【特許請求の範囲】
【請求項１】
ページング制御機（ｐａｇｉｎｇ  ｃｏｎｔｒｏｌｌｅｒ）を用いて無線通信システムで遊休モード（ｉｄｌｅ  ｍｏｄｅ）にある移動局（ｍｏｂｉｌｅ  ｓｔａｔｉｏｎ）を支援する方法において、
移動局が遊休モードに進入する段階と、
同じページンググループに属した複数の基地局のうち少なくとも一つから、前記ページング制御機から転送されたページング案内（ｐａｇｉｎｇ  ａｎｎｏｕｎｃｅｍｅｎｔ）に対する応答として前記複数の基地局のうち少なくとも一つから生成され、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を受信する段階と、
前記同じページンググループに属した複数の基地局は、前記ページング制御機から遊休モード終了状態を受信し、前記移動局は、前記遊休モードを終了し（ｅｘｉｔｉｎｇ）、前記複数の基地局のうち一つと連結を設定する段階と、
を含む遊休モード移動局支援方法。
【請求項２】
前記ページング案内（ｐａｇｉｎｇ  ａｎｎｏｕｎｃｅｍｅｎｔ）は、前記移動局に伝達される下りリンクトラフィックデータ（ｄｏｗｎｌｉｎｋ  ｔｒａｆｆｉｃ  ｄａｔａ）がある場合、前記ページング制御機から生成されることを特徴とする、請求項１に記載の遊休モード移動局支援方法。
【請求項３】
前記ページング案内（ｐａｇｉｎｇ  ａｎｎｏｕｎｃｅｍｅｎｔ）は、前記移動局から上りリンクトラフィックデータ（ｕｐｌｉｎｋ  ｔｒａｆｆｉｃ  ｄａｔａ）がある場合、前記ページング制御機から生成されることを特徴とする、請求項１に記載の遊休モード移動局支援方法。
【請求項４】
前記遊休モード応答命令語は、ページング識別子（ｐａｇｉｎｇ  ｉｄｅｎｔｉｆｉｅｒ）、ページング周期（ｃｙｃｌｅ）及びページング周期オフセット（ｏｆｆｓｅｔ）のうち少なくとも一つを含むことを特徴とする、請求項１に記載の遊休モード移動局支援方法。
【請求項５】
前記遊休モードを終了し（ｅｘｉｔｉｎｇ）、連結を設定する段階は、
前記移動局と関連した前記複数の基地局のうち一つにレインジング要請（ｒａｎｇｉｎｇ  ｒｅｑｕｅｓｔ）を転送する段階と、
前記複数の基地局のうち一つからレインジング応答（ｒａｎｇｉｎｇ  ｒｅｓｐｏｎｓｅ）を受信する段階と、
をさらに含むことを特徴とする、請求項１に記載の遊休モード移動局支援方法。
【請求項６】
前記ページング案内（ｐａｇｉｎｇ  ａｎｎｏｕｎｃｅｍｅｎｔ）は、（１）ページングリストに前記移動局を追加；（２）前記ページングリストから前記移動局を除去；（３）位置を設立するためにレインジング遂行；及び、（４）ネットワーク進入のうち、少なくとも一つを含むページング案内アクションコード（ｐａｇｉｎｇ  ａｎｎｏｕｎｃｅｍｅｎｔ  ａｃｔｉｏｎ  ｃｏｄｅ）を含むことを特徴とする、請求項１に記載の遊休モード移動局支援方法。
【請求項７】
前記ページング命令語アクションコード（ｐａｇｉｎｇ  ｃｏｍｍａｎｄ  ａｃｔｉｏｎ  ｃｏｄｅ）は、（１）ネットワーク進入；及び、（２）位置を設立するためにレインジング遂行のうち、少なくとも一つを含むことを特徴とする、請求項１に記載の遊休モード移動局支援方法。
【請求項８】
前記遊休モード進入段階は、
前記移動局が前記ページンググループに関連した複数の基地局を制御するページング制御機と関連したサービング基地局（ｓｅｒｖｉｎｇ  ｂａｓｅ  ｓｔａｔｉｏｎ）に遊休モードに進入を要請する段階と、
前記遊休モードに進入するための遊休モード応答命令語（ｉｄｌｅ  ｍｏｄｅ  ｒｅｓｐｏｎｓｅ  ｃｏｍｍａｎｄ）を前記サービング基地局から受信する段階と、
をさらに含むことを特徴とする、請求項１に記載の遊休モード移動局支援方法。
【請求項９】
前記ページング制御機は、ページング制御機識別子で識別され、前記移動局は、ＭＡＣ（ｍｅｄｉｕｍ  ａｃｃｅｓｓ  ｃｏｎｔｒｏｌｌｅｒ）識別子で識別されることを特徴とする、請求項１に記載の遊休モード移動局支援方法。
【請求項１０】
前記ページング命令語は、前記ＭＡＣ識別子を用いて前記移動局を識別する情報を含むことを特徴とする、請求項９に記載の遊休モード移動局支援方法。
【請求項１１】
前記ページング案内は、前記ＭＡＣ識別子を用いて前記移動局を識別する情報を含むことを特徴とする、請求項９に記載の遊休モード移動局支援方法。
【請求項１２】
前記移動局による遊休モード進入段階は、前記ページング制御機が前記ページンググループに属した複数の基地局に、前記移動局の遊休モード進入状態（ｉｄｌｅ  ｍｏｄｅ  ｅｎｔｅｒｉｎｇ  ｓｔａｔｕｓ）を知らせる段階をさらに含むことを特徴とする、請求項１に記載の遊休モード移動局支援方法。
【請求項１３】
移動局が遊休モードに進入するための手段と、
同じページンググループに属した複数の基地局のうち少なくとも一つから、前記ページング制御機から転送されたページング案内に対する応答として前記複数の基地局のうち少なくとも一つから発生し、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を受信する手段と、
前記同じページンググループに属した複数の基地局は、前記ページング制御機から遊休モード終了状態を受信し、前記移動局は、前記遊休モードを終了し（ｅｘｉｔｉｎｇ）、前記複数の基地局のうち一つと連結を設定する手段と、
を備える移動局。
【請求項１４】
前記遊休モード応答命令語は、ページング識別子（ｐａｇｉｎｇ  ｉｄｅｎｔｉｆｉｅｒ）、ページング周期（ｃｙｃｌｅ）及びページング周期オフセット（ｏｆｆｓｅｔ）のうち少なくとも一つを含むことを特徴とする、請求項１３に記載の移動局。
【請求項１５】
前記遊休モードを終了し（ｅｘｉｔｉｎｇ）、連結を設定する手段は、
前記移動局と関連した前記複数の基地局のうち一つにレインジング要請（ｒａｎｇｉｎｇ  ｒｅｑｕｅｓｔ）を転送する手段と、
前記複数の基地局のうち一つからレインジング応答（ｒａｎｇｉｎｇ  ｒｅｓｐｏｎｓｅ）を受信する手段と、
をさらに備えることを特徴とする、請求項１３に記載の移動局。
【請求項１６】
前記ページング命令語アクションコード（ｐａｇｉｎｇ  ｃｏｍｍａｎｄ  ａｃｔｉｏｎ  ｃｏｄｅ）は、（１）ネットワーク進入；及び、（２）位置を設立するためにレインジング遂行のうち、少なくとも一つを含むことを特徴とする、請求項１３に記載の移動局。
【請求項１７】
前記遊休モード進入手段は、
前記移動局が、前記ページンググループに関連した複数の基地局を制御する前記ページング制御機と関連したサービング基地局（ｓｅｒｖｉｎｇ  ｂａｓｅ  ｓｔａｔｉｏｎ）に、遊休モードへの進入を要請する手段と、
前記遊休モードに進入するための遊休モード応答命令語（ｉｄｌｅ  ｍｏｄｅ  ｒｅｓｐｏｎｓｅ  ｃｏｍｍａｎｄ）を、前記サービング基地局から受信する手段と、
をさらに備えることを特徴とする、請求項１３に記載の移動局。
【請求項１８】
前記ページング制御機は、ページング制御機識別子で識別され、前記移動局は、ＭＡＣ（ｍｅｄｉｕｍ  ａｃｃｅｓｓ  ｃｏｎｔｒｏｌｌｅｒ）識別子で識別されることを特徴とする、請求項１３に記載の移動局。
【請求項１９】
前記移動局による遊休モード進入手段は、前記ページンググループに属した複数の基地局に、前記移動局の遊休モード進入状態（ｉｄｌｅ  ｍｏｄｅ  ｅｎｔｅｒｉｎｇ  ｓｔａｔｕｓ）を知らせるページング制御機をさらに備えることを特徴とする、請求項１３に記載の移動局。
【請求項２０】
ページング制御機（ｐａｇｉｎｇ  ｃｏｎｔｒｏｌｌｅｒ）を用いて無線通信システムでネットワークによって遊休モード（ｉｄｌｅ  ｍｏｄｅ）を支援する方法において、
遊休モードに進入するために移動局（ｍｏｂｉｌｅ  ｓｔａｔｉｏｎ）からページンググループに属した複数の基地局を制御するページング制御機と関連したサービング基地局（ｓｅｒｖｉｎｇ  ｂａｓｅ  ｓｔａｔｉｏｎ）へ向かう要請（ｒｅｑｕｅｓｔ）を受信する段階と、
前記遊休モードに進入するための遊休モード応答命令語（ｉｄｌｅ  ｍｏｄｅ  ｒｅｓｐｏｎｓｅ  ｃｏｍｍａｎｄ）を、前記サービング基地局から前記移動局へ転送する段階と、
同じページンググループに属した複数の基地局のうち少なくとも一つから、前記ページング制御機から転送されたページング案内に対する応答として前記複数の基地局のうち少なくとも一つから発生し、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を転送する段階と、
前記複数の基地局のうち一つと前記移動局との間に連結を設定する段階（ｅｓｔａｂｌｉｓｈｉｎｇ）と、
前記ページング制御機から前記同じページンググループに属した複数の基地局へ向かう遊休モード終了状態（ｉｄｌｅ  ｍｏｄｅ  ｅｘｉｔ  ｓｔａｔｕｓ）を転送する段階と、
を含む、遊休モード支援方法。
【請求項２１】
前記ページング案内（ｐａｇｉｎｇ  ａｎｎｏｕｎｃｅｍｅｎｔ）は、前記移動局に伝達される下りリンクトラフィックデータ（ｄｏｗｎｌｉｎｋ  ｔｒａｆｆｉｃ  ｄａｔａ）がある場合、前記ページング制御機から生成されることを特徴とする、請求項２０に記載の遊休モード支援方法。
【請求項２２】
前記ページング案内（ｐａｇｉｎｇ  ａｎｎｏｕｎｃｅｍｅｎｔ）は、前記移動局から上りリンクトラフィックデータ（ｕｐｌｉｎｋ  ｔｒａｆｆｉｃ  ｄａｔａ）がある場合、前記ページング制御機から生成されることを特徴とする、請求項２０に記載の遊休モード支援方法。
【請求項２３】
前記遊休モード応答命令語は、ページング識別子（ｐａｇｉｎｇ  ｉｄｅｎｔｉｆｉｅｒ）、ページング周期（ｃｙｃｌｅ）及びページング周期オフセット（ｏｆｆｓｅｔ）のうち少なくとも一つを含むことを特徴とする、請求項２０に記載の遊休モード支援方法。
【請求項２４】
前記移動局と相応する情報を提供するために前記サービング基地局から前記ページング制御機に遊休モード情報要請メッセージ（ｉｄｌｅ  ｍｏｄｅ  ｉｎｆｏｒｍａｔｉｏｎ  ｒｅｑｕｅｓｔ  ｍｅｓｓａｇｅ）を転送する段階をさらに含むことを特徴とする、請求項２０に記載の遊休モード支援方法。
【請求項２５】
前記ページング制御機で前記サービング基地局から前記遊休モード情報要請メッセージを受信する段階と、
前記遊休モード情報要請メッセージがＭＡＣハッシュ省略限度値（ｍｅｄｉｕｍ  ａｃｃｅｓｓ  ｃｏｎｔｒｏｌｌｅｒ  ｈａｓｈ  ｓｋｉｐ  ｔｈｒｅｓｈｏｌｄ）と相応する情報を含む場合、前記ページング制御機から前記複数の基地局のうち少なくとも一つに遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する段階と、
をさらに含むことを特徴とする、請求項２４に記載の遊休モード支援方法。
【請求項２６】
前記ページング制御機で前記サービング基地局から前記遊休モード情報要請メッセージを受信する段階と、
前記ページング制御機から前記サービング基地局へ遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する段階と、
をさらに含むことを特徴とする、請求項２４に記載の遊休モード支援方法。
【請求項２７】
前記遊休モード情報応答メッセージは、前記複数の基地局のうち少なくとも一つに転送され、前記移動局が前記遊休モードを終了したことを、前記複数の基地局のうち少なくとも一つに知らせるための情報を含むことを特徴とする、請求項２６に記載の遊休モード支援方法。
【請求項２８】
前記遊休モード情報応答メッセージに対する応答として遊休モード命令語メッセージ（ｉｄｌｅ  ｍｏｄｅ  ｃｏｍｍａｎｄ  ｍｅｓｓａｇｅ）を前記サービング基地局から前記移動局へ転送する段階をさらに含むことを特徴とする、請求項２６に記載の遊休モード支援方法。
【請求項２９】
前記ページング案内（ｐａｇｉｎｇ  ａｎｎｏｕｎｃｅｍｅｎｔ）は、（１）ページングリストに前記移動局を追加；（２）前記ページングリストから前記移動局を除去；（３）位置を設立するためにレインジング遂行；及び、（４）ネットワーク進入のうち、で少なくとも一つを含むページング案内アクションコード（ｐａｇｉｎｇ  ａｎｎｏｕｎｃｅｍｅｎｔ  ａｃｔｉｏｎ  ｃｏｄｅ）を含むことを特徴とする、請求項２０に記載の遊休モード支援方法。
【請求項３０】
前記ページング命令語アクションコード（ｐａｇｉｎｇ  ｃｏｍｍａｎｄ  ａｃｔｉｏｎ  ｃｏｄｅ）は、（１）ネットワーク進入；及び、（２）位置を設立するためにレインジング遂行のうち、少なくとも一つを含むことを特徴とする、請求項２０に記載の遊休モード支援方法。
【請求項３１】
前記ページング制御機は、ページング制御機識別子で識別され、前記移動局は、ＭＡＣ（ｍｅｄｉｕｍ  ａｃｃｅｓｓ  ｃｏｎｔｒｏｌｌｅｒ）識別子で識別されることを特徴とする、請求項２０に記載の遊休モード支援方法。
【請求項３２】
ページング制御機を介して無線通信システムでネットワークによって遊休モードを支援するために構成された基地局において、
遊休モードに進入するために移動局（ｍｏｂｉｌｅ  ｓｔａｔｉｏｎ）からページンググループに属した複数の基地局を制御するページング制御機と関連したサービング基地局（ｓｅｒｖｉｎｇ  ｂａｓｅ  ｓｔａｔｉｏｎ）へ向かう要請（ｒｅｑｕｅｓｔ）を受信する手段と、
前記遊休モードに進入するための遊休モード応答命令語（ｉｄｌｅ  ｍｏｄｅ  ｒｅｓｐｏｎｓｅ  ｃｏｍｍａｎｄ）を前記サービング基地局から前記移動局へ転送する手段と、
同じページンググループに属した複数の基地局のうち少なくとも一つから、前記ページング制御機から転送されたページング案内に対する応答として前記複数の基地局のうち少なくとも一つから発生し、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を転送する手段と、
前記複数の基地局のうち一つと前記移動局との間に連結を設定する手段と、
前記ページング制御機から前記同じページンググループに属した複数の基地局へ向かう遊休モード終了状態（ｉｄｌｅ  ｍｏｄｅ  ｅｘｉｔ  ｓｔａｔｕｓ）を転送する手段と、
を備える基地局。
【請求項３３】
前記遊休モード応答命令語は、ページング識別子（ｐａｇｉｎｇ  ｉｄｅｎｔｉｆｉｅｒ）、ページング周期（ｃｙｃｌｅ）及びページング周期オフセット（ｏｆｆｓｅｔ）のうち少なくとも一つを含むことを特徴とする、請求項３２に記載の基地局。
【請求項３４】
前記移動局と相応する情報を提供するために前記サービング基地局から前記ページング制御機に遊休モード情報要請メッセージ（ｉｄｌｅ  ｍｏｄｅ  ｉｎｆｏｒｍａｔｉｏｎ  ｒｅｑｕｅｓｔ  ｍｅｓｓａｇｅ）を転送する手段をさらに備えることを特徴とする、請求項３２に記載の基地局。
【請求項３５】
前記ページング制御機で前記サービング基地局から前記遊休モード情報要請メッセージ（ｉｄｌｅ  ｍｏｄｅ  ｉｎｆｏｒｍａｔｉｏｎ  ｒｅｑｕｅｓｔ  ｍｅｓｓａｇｅ）を受信する手段と、
前記遊休モード情報要請メッセージがＭＡＣハッシュ省略限度値（ｍｅｄｉｕｍ  ａｃｃｅｓｓ  ｃｏｎｔｒｏｌｌｅｒ  ｈａｓｈ  ｓｋｉｐ  ｔｈｒｅｓｈｏｌｄ）と相応する情報を含む場合、前記ページング制御機から前記複数の基地局のうち少なくとも一つに遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する手段と、
をさらに備えることを特徴とする、請求項３４に記載の基地局。
【請求項３６】
前記ページング制御機で前記サービング基地局から前記遊休モード情報要請メッセージ（ｉｄｌｅ  ｍｏｄｅ  ｉｎｆｏｒｍａｔｉｏｎ  ｒｅｑｕｅｓｔ  ｍｅｓｓａｇｅ）を受信する手段と、
前記ページング制御機から前記サービング基地局へ遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する手段と、
をさらに備えることを特徴とする、請求項３４に記載の基地局。
【請求項３７】
前記遊休モード情報応答メッセージは、前記複数の基地局のうち少なくとも一つに転送され、前記移動局が前記遊休モードを終了したことを前記複数の基地局のうち少なくとも一つに知らせるための情報を含むことを特徴とする、請求項３６に記載の基地局。
【請求項３８】
前記遊休モード情報応答メッセージに対する応答として遊休モード命令語メッセージ（ｉｄｌｅ  ｍｏｄｅ  ｃｏｍｍａｎｄ  ｍｅｓｓａｇｅ）を前記サービング基地局から前記移動局へ転送する手段をさらに備えることを特徴とする、請求項３６に記載の基地局。
【請求項３９】
前記ページング案内（ｐａｇｉｎｇ  ａｎｎｏｕｎｃｅｍｅｎｔ）は、（１）ページングリストに前記移動局を追加；（２）前記ページングリストから前記移動局を除去；（３）位置を設立するためにレインジング遂行；及び、（４）ネットワーク進入のうち、少なくとも一つを含むページング案内アクションコード（ｐａｇｉｎｇ  ａｎｎｏｕｎｃｅｍｅｎｔ  ａｃｔｉｏｎ  ｃｏｄｅ）を含むことを特徴とする、請求項３２に記載の基地局。
【請求項４０】
前記ページング命令語アクションコード（ｐａｇｉｎｇ  ｃｏｍｍａｎｄ  ａｃｔｉｏｎ  ｃｏｄｅ）は、（１）ネットワーク進入；及び、（２）位置を設立するためにレインジング遂行のうち、少なくとも一つを含むことを特徴とする、請求項３２に記載の基地局。
【発明の詳細な説明】
【技術分野】
【０００１】
本発明は無線接続システムに係り、より具体的には、無線接続システムにおける移動局の遊休モードに関するものである。
【背景技術】
【０００２】
広帯域無線接続システムでは、移動局（ＭＳＳ：Ｍｏｂｉｌｅ  Ｓｕｂｓｃｒｉｂｅｒ  Ｓｔａｔｉｏｎ）の電力消耗を最小化するために遊休モード（ｉｄｌｅ  ｍｏｄｅ）を支援する。遊休モードにおいて、移動局は、同じページング領域（ｐａｇｉｎｇ  ｚｏｎｅ）に含まれる基地局間を移動する際にハンドオフ手順を行う必要がない。したがって、移動局は、ハンドオフ手順のための上りリンク（Ｕｐｌｉｎｋ）情報転送をしなくても済み、その分だけ電力消耗を節減できる。
【０００３】
ページング領域は、ページンググループという複数の基地局が担当する全体領域として定義されるが、同じページング領域に含まれる基地局は、同じ値のページング周期（Ｐａｇｉｎｇ＿Ｃｙｃｌｅ）とページングオフセット（Ｐａｇｉｎｇ＿Ｏｆｆｓｅｔ）を持つ。
【０００４】
移動局は、基地局に遊休モードへの切り替えを要請できる。基地局は、自身のページング領域ＩＤ（Ｐａｇｉｎｇ−ｇｒｏｕｐ  ＩＤ）とそれによるページング周期及びページングオフセットを伝達する。該当の移動局は、遊休モード状態に切り替えられる。
【０００５】
遊休モードの間、移動局は、約束したページング周期ごとに基地局から放送（ｂｒｏａｄｃａｓｔ）形態に伝達されるページングから、継続して遊休モードを維持するか、終了するかを判断することが可能である。
【０００６】
遊休モードにある移動局が転送すべきトラフィックが発生した場合、移動局は、遊休モードを終了することが可能である。遊休モードにある移動局に伝達しなければならないトラフィックが発生した場合、基地局はページングを通じて移動局が遊休モードを終了するようにすることができる。また、遊休モードにあった移動局が移動して他のページング領域へ移動する、または、同期を失う等の理由から、定められた時間にページングを受信できない場合、移動局は遊休モードを終了できる。
【０００７】
要するに、遊休モードに入った移動局は、転送したり受信する情報がない限り、周期的なページングを正常に受信することによって、ハンドオフ手順を行わなくても同じページング領域での自由な移動が保障される。
【０００８】
一つのページング領域を構成するためにバックボーンメッセージが基地局間有線上に転送される。バックボーンメッセージ（Ｐａｇｉｎｇ−ｇｒｏｕｐ−ａｃｔｉｏｎ  ｂａｃｋｂｏｎｅ  ｍｅｓｓａｇｅ）形式の一例を、表１に示す。
【０００９】
【表１】
2008502203.tif 000003
前記バックボーンメッセージは、基地局間に伝達される。前記バックボーンメッセージは、アクション（Ａｃｔｉｏｎ）フィールドの内容によって次の４つの用途に用いられることができる。
【００１０】
受信する基地局（ｔａｒｇｅｔ  ＢＳ）を特定ページンググループに指定できる（Ａｃｔｉｏｎ＝０）。受信する基地局を特定ページンググループから除外できる（Ａｃｔｉｏｎ＝１）。受信する基地局がどのページンググループに属するか尋ねることができる（Ａｃｔｉｏｎ＝２）。送信する基地局（Ｓｅｎｄｅｒ  ＢＳ）がどのページンググループに属するか知らせることができる（Ａｃｔｉｏｎ＝３）。
【００１１】
一つの基地局が一つ以上のページング領域に属することができるため、前記バックボーンメッセージは複数個のページンググループに対する情報を含むことができる。前記バックボーンメッセージから、基地局は各ページング領域で用いられるページング周期とページングオフセットを確認できる。前記バックボーンメッセージを通じて基地局をページンググループに動的に割り当てることが可能である。
【００１２】
移動局が遊休モードに切り替えるためには既存のＭＡＣメッセージの一つであるＤＲＥＧ＿ＲＥＱを使用する。該ＤＲＥＧ＿ＲＥＱメッセージの形式を、下記の表２に示す。
【００１３】
【表２】
2008502203.tif 000004
移動局は、前記ＤＥＲＧ＿ＲＥＱメッセージのＤｅ−ｒｅｇｉｓｔｒａｔｉｏｎ  Ｒｅｑｕｅｓｔ  Ｃｏｄｅを０ｘ０１に設定して基地局に伝達することによって、自身が遊休モードに切り替えることを要請できる。この時、所望のページング周期を伝達することも可能である。
【００１４】
前記ＤＥＲＧ＿ＲＥＱメッセージを受け取った基地局は、既存のＤＲＥＧ＿ＣＭＤメッセージを通じて移動局の要請に応答できる。ＤＲＥＧ＿ＣＭＤメッセージの形式を、下記の表３に示す。
【００１５】
【表３】
2008502203.tif 000005
基地局は、前記ＤＲＥＧ＿ＣＭＤメッセージのアクションコード（Ａｃｔｉｏｎ  Ｃｏｄｅ）を通じて遊休モードへの切り替えを許容する（Ａｃｔｉｏｎ  Ｃｏｄｅ＝０ｘ０５）、一定時間後に再び遊休モードへの切り替えを要請するようにする（Ａｃｔｉｏｎ  Ｃｏｄｅ＝０ｘ０６）、または、自身がＤＲＥＧ＿ＣＭＤを転送するまでそれ以上遊休モードへの切り替えを要請しないようにすることができる（Ａｃｔｉｏｎ  Ｃｏｄｅ＝０ｘ０７）。
【００１６】
前記ＤＲＥＧ＿ＣＭＤメッセージのアクションコードの詳細な内容を、下記の表４に示す。
【００１７】
【表４】
2008502203.tif 000006
同じページング領域に属する各基地局は、遊休モードに切り替えた移動局に対する情報を共有できなければならなく、これによってページング周期ごとに前記各移動局が行なわなければならない手順を知らせなければならない。
【００１８】
そのために下記の表５に示すページング案内（Ｐａｇｉｎｇ−ａｎｎｏｕｎｃｅ）バックボーンメッセージが使われる。
【００１９】
【表５】
2008502203.tif 000007
前記ページング案内バックボーンメッセージは、同じページング領域に属する全ての基地局に伝達されなければならない。前記ページング案内バックボーンメッセージを受信する基地局は、該メッセージに含まれている移動局のＭＡＣアドレスを、このメッセージ内のページング周期とページングオフセットに合わせて必ずページングしなければならない。
【００２０】
その結果、前記ページング案内バックボーンメッセージを通じて、あるページング領域に属する全ての基地局は、ページングしなければならない移動局のＭＡＣアドレスを同一に維持することが可能である。したがって、ある移動局は現在ページング領域を外れない限りページング周期ごとに自身に対するページング情報を受信することが可能である。
【００２１】
各基地局が遊休モード状態にある移動局にページングを通じて転送するページングメッセージ（ＭＯＢ−ＰＡＧ＿ＡＤＶ）の形式は、下記表６の通りである。前記ページングメッセージは放送（Ｂｒｏａｄｃａｓｔ）形態に移動局に伝達される。
【００２２】
【表６】
2008502203.tif 000008
前記ページングメッセージを受信した移動局は、２ビットのアクションコード（Ａｃｔｉｏｎ  Ｃｏｄｅ）を通じて、自身が継続して遊休モードを維持できるのか（Ａｃｔｉｏｎ  Ｃｏｄｅ＝００）、位置情報更新のためにレインジング（ｒａｎｇｉｎｇ）を行わなければならないのか（Ａｃｔｉｏｎ  Ｃｏｄｅ＝０１）、自身に伝達しなければならない下りトラフィックを受信するために遊休モードを終了しなければならないのか（Ａｃｔｉｏｎ  Ｃｏｄｅ＝１０）を決定できる。
【００２３】
移動局は、移動局が転送しなければならないトラフィックが発生した場合（上りリンクトラフィック発生）、遊休モードを終了しなければならない。また、移動局は、受信しなければならないトラフィックが発生した場合（下りリンクトラフィック発生）遊休モードを終了しなければならない。そして、現在ページング領域を外れる、または、転送過程上の問題によって周期的なページングを受信できない場合、遊休モードを終了しなければならない。
【発明の開示】
【発明が解決しようとする課題】
【００２４】
本発明は、従来技術の少なくとも一つの問題点を本質的に解決する無線接続システムで移動局の遊休モードを支援する方法に関する。
【００２５】
本発明の目的は、広帯域無線接続システムの端末電力消耗を最小化するための技術である遊休モード（ｉｄｌｅ  ｍｏｄｅ）状態にある端末が取るべき動作を正確に明示することによって、遊休モードの正確な動作を保障できる広帯域無線接続システムで端末の遊休モード支援方法を提供することにある。
【課題を解決するための手段】
【００２６】
上記目的を達成する本発明の一実施例として、ページング制御機（ｐａｇｉｎｇ  ｃｏｎｔｒｏｌｌｅｒ）を用いて無線通信システムで遊休モード（ｉｄｌｅ  ｍｏｄｅ）にある移動局（ｍｏｂｉｌｅ  ｓｔａｔｉｏｎ）を支援する方法は、移動局が遊休モードに進入する段階を含む。また、同じページンググループに属した複数の基地局のうち少なくとも一つから、前記ページング命令語は前記ページング制御機から転送されたページング案内（ｐａｇｉｎｇ  ａｎｎｏｕｎｃｅｍｅｎｔ）に対する応答として前記複数の基地局のうち少なくとも一つから発生し、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を受信する段階を含む。また、前記同じページンググループに属した複数の基地局は、前記ページング制御機から遊休モード終了状態を受信し、前記移動局は、前記遊休モードを終了し（ｅｘｉｔｉｎｇ）、前記複数の基地局のうち一つと連結を設定する段階を含む。
【００２７】
前記ページング案内（ｐａｇｉｎｇ  ａｎｎｏｕｎｃｅｍｅｎｔ）は、好ましくは、前記移動局に伝達される下りリンクトラフィックデータ（ｄｏｗｎｌｉｎｋ  ｔｒａｆｆｉｃ  ｄａｔａ）がある場合、前記ページング制御機から生成されることができる。また、前記ページング案内（ｐａｇｉｎｇ  ａｎｎｏｕｎｃｅｍｅｎｔ）は、好ましくは、前記移動局から上りリンクトラフィックデータ（ｕｐｌｉｎｋ  ｔｒａｆｆｉｃ  ｄａｔａ）がある場合、前記ページング制御機から生成されることができる。前記遊休モード応答命令語は、好ましくは、ページング識別子（ｐａｇｉｎｇ  ｉｄｅｎｔｉｆｉｅｒ）、ページング周期（ｃｙｃｌｅ）及びページング周期オフセット（ｏｆｆｓｅｔ）のうち少なくとも一つを含むことができる。前記遊休モードを終了し（ｅｘｉｔｉｎｇ）、連結を設定する段階は、好ましくは、前記移動局と関連した前記複数の基地局のうち一つにレインジング要請（ｒａｎｇｉｎｇ  ｒｅｑｕｅｓｔ）を転送する段階と、前記複数の基地局のうち一つからレインジング応答（ｒａｎｇｉｎｇ  ｒｅｓｐｏｎｓｅ）を受信する段階と、をさらに含むことができる。
【００２８】
前記ページング案内（ｐａｇｉｎｇ  ａｎｎｏｕｎｃｅｍｅｎｔ）は、好ましく（１）ページングリストに前記移動局を追加；（２）前記ページングリストから前記移動局を除去；（３）位置を設立するためにレインジング遂行；及び、（４）ネットワーク進入のうち、少なくとも一つを含むページング案内アクションコード（ｐａｇｉｎｇ  ａｎｎｏｕｎｃｅｍｅｎｔ  ａｃｔｉｏｎ  ｃｏｄｅ）を含むことができる。前記ページング命令語アクションコード（ｐａｇｉｎｇ  ｃｏｍｍａｎｄ  ａｃｔｉｏｎ  ｃｏｄｅ）は、好ましくは、（１）ネットワーク進入；及び、（２）位置を設立するためにレインジング遂行のうち、少なくとも一つを含むことができる。
【００２９】
前記遊休モード進入段階は、好ましくは、前記移動局は前記ページンググループに関連した複数の基地局を制御するページング制御機と関連したサービング基地局（ｓｅｒｖｉｎｇ  ｂａｓｅ  ｓｔａｔｉｏｎ）に遊休モードに進入を要請する段階をさらに含むことができる。また、前記遊休モード進入段階は、好ましくは、前記遊休モードに進入するための遊休モード応答命令語（ｉｄｌｅ  ｍｏｄｅ  ｒｅｓｐｏｎｓｅ  ｃｏｍｍａｎｄ）を前記サービング基地局から受信する段階をさらに含むことができる。
【００３０】
好ましくは、前記ページング制御機は、ページング制御機識別子で識別され、前記移動局は、ＭＡＣ（ｍｅｄｉｕｍ  ａｃｃｅｓｓ  ｃｏｎｔｒｏｌｌｅｒ）識別子で識別されうる。前記ページング命令語は、好ましくは、前記ＭＡＣ識別子を用いて前記移動局を識別する情報を含むことができる。前記ページング案内は、好ましくは、前記ＭＡＣ識別子を用いて前記移動局を識別する情報を含むことができる。前記移動局による遊休モード進入段階は、好ましくは、前記ページング制御機が前記ページンググループに属した複数の基地局に前記移動局の遊休モード進入状態（ｉｄｌｅ  ｍｏｄｅ  ｅｎｔｅｒｉｎｇ  ｓｔａｔｕｓ）を知らせる段階をさらに含むことができる。
【００３１】
他の実施例として、ページング制御機（ｐａｇｉｎｇ  ｃｏｎｔｒｏｌｌｅｒ）を用いて無線通信システムでネットワークによって遊休モード（ｉｄｌｅｍｏｄｅ）を支援する方法は、遊休モードに進入するために移動局（ｍｏｂｉｌｅ  ｓｔａｔｉｏｎ）からページンググループに属した複数の基地局を制御するページング制御機と関連したサービング基地局（ｓｅｒｖｉｎｇ  ｂａｓｅ  ｓｔａｔｉｏｎ）へ向かう要請（ｒｅｑｕｅｓｔ）を受信する段階を含む。また、前記遊休モードに進入するための遊休モード応答命令語（ｉｄｌｅ  ｍｏｄｅ  ｒｅｓｐｏｎｓｅ  ｃｏｍｍａｎｄ）を前記サービング基地局から前記移動局へ転送する段階を含む。また、同じページンググループに属した複数の基地局のうち少なくとも一つから、前記ページング制御機から転送されたページング案内に対する応答として前記複数の基地局のうち少なくとも一つから発生し、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を転送する段階を含む。また、前記複数の基地局のうち一つと前記移動局との間に連結を設定する段階（ｅｓｔａｂｌｉｓｈｉｎｇ）を含む。また、前記ページング制御機から、前記同じページンググループに属した複数の基地局へ向かう遊休モード終了状態（ｉｄｌｅ  ｍｏｄｅ  ｅｘｉｔ  ｓｔａｔｕｓ）を転送する段階を含む。
【００３２】
また、好ましくは、前記移動局と相応する情報を提供するために、前記サービング基地局から前記ページング制御機に遊休モード情報要請メッセージ（ｉｄｌｅ  ｍｏｄｅ  ｉｎｆｏｒｍａｔｉｏｎ  ｒｅｑｕｅｓｔ  ｍｅｓｓａｇｅ）を転送する段階をさらに含むことができる。また、好ましくは、前記ページング制御機で前記サービング基地局から前記遊休モード情報要請メッセージを受信する段階と、前記遊休モード情報要請メッセージがＭＡＣハッシュ省略限度値（ｍｅｄｉｕｍ  ａｃｃｅｓｓ  ｃｏｎｔｒｏｌｌｅｒ  ｈａｓｈ  ｓｋｉｐ  ｔｈｒｅｓｈｏｌｄ）と相応する情報を含む場合、前記ページング制御機から前記複数の基地局のうち少なくとも一つに遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する段階と、をさらに含むことができる。
【００３３】
また、好ましくは、前記ページング制御機で前記サービング基地局から前記遊休モード情報要請メッセージを受信する段階と、前記ページング制御機から前記サービング基地局へ遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する段階と、をさらに含むことができる。前記遊休モード情報応答メッセージは、好ましくは、前記複数の基地局のうち少なくとも一つに転送され、前記移動局が前記遊休モードを終了したことを前記複数の基地局のうち少なくとも一つに知らせるための情報を含むことができる。また、好ましくは、前記遊休モード情報応答メッセージに対する応答として遊休モード命令語メッセージ（ｉｄｌｅ  ｍｏｄｅ  ｃｏｍｍａｎｄ  ｍｅｓｓａｇｅ）を前記サービング基地局から前記移動局へ転送する段階をさらに含むことができる。
【産業上の利用可能性】
【００３４】
本発明は、広帯域無線接続システムで適用されることができる。
【発明を実施するための最良の形態】
【００３５】
以下、本発明に係る広帯域無線接続システムにおける移動局の遊休モード支援方法の好適な実施例を、添付の図面を参照しつつ説明する。図面中、同一または類似な部分については、可能な限り同一の参照番号及び符号を共通使用するものとする。
【００３６】
本発明は、ＩＥＥＥ８０２広帯域無線接続システム標準の内容に用いられることができる。なお、本発明は、無線接続システムのいずれのタイプの内容にも使用可能である。
【００３７】
図１は、本発明の一実施例によるページンググループを示す構成図である。
【００３８】
図１に示すように、少なくとも一つの基地局がページンググループを構成するようにすることができる。同じページンググループに属する基地局は、バックボーンメッセージを通じて遊休モード提供に必要な情報を送受信する。一方、相異なるページンググループに属する基地局間にもバックボーンメッセージを通じて遊休モード提供に必要な情報を送受信できる。
【００３９】
図２は、本発明の一実施例による遊休モード手順を示す処理流れ図である。
【００４０】
図２を参照すると、移動局が遊休モードに切り替えるためには既存のＭＡＣメッセージの一つであるＤＲＥＧ＿ＲＥＱのような要請メッセージを用いて基地局に遊休モードへの切り替えを要請する（Ｓ２１）。前記ＤＥＲＧ＿ＲＥＱメッセージの形式は、表２に示す通りである。
【００４１】
例えば、移動局は、前記ＤＥＲＧ＿ＲＥＱメッセージのＤｅ−ｒｅｇｉｓｔｒａｔｉｏｎ  Ｒｅｑｕｅｓｔ  Ｃｏｄｅを０ｘ０１に設定して基地局に伝達することによって、自身が遊休モードに切り替えることを要請できる。
【００４２】
前記ＤＥＲＧ＿ＲＥＱメッセージを受け取った基地局は、既存のＤＲＥＧ＿ＣＭＤメッセージのような命令語メッセージを通じて移動局の要請に応答する（Ｓ２２）。ＤＲＥＧ＿ＣＭＤメッセージの形式は、表３に示す通りである。
【００４３】
基地局は、前記ＤＲＥＧ＿ＣＭＤメッセージのアクションコード（Ａｃｔｉｏｎ  Ｃｏｄｅ）を通じて遊休モードへの切り替えを許容することができる（Ａｃｔｉｏｎ  Ｃｏｄｅ＝０ｘ０５）。また、一定時間後に再び遊休モードへの切り替えを要請するようにすることができる（Ａｃｔｉｏｎ  Ｃｏｄｅ＝０ｘ０６）。また、自身がＤＲＥＧ＿ＣＭＤを転送するまでそれ以上遊休モードへの切り替えを要請しないようにすることができる（Ａｃｔｉｏｎ  Ｃｏｄｅ＝０ｘ０７）。
【００４４】
前記ＤＲＥＧ＿ＣＭＤメッセージのアクションコードの詳細な内容は、上記の表４に説明されている。
【００４５】
一実施例によって、同じページンググループに属する基地局は、遊休モードに切り替えた移動局に対する情報を共有できる。該情報を通じてページング周期ごとに前記移動局が行なわなければならない手順を知らせることができる。
【００４６】
このために上記表５に示すページング案内（Ｐａｇｉｎｇ−ａｎｎｏｕｎｃｅ）バックボーンメッセージが使われる。前記ページング案内バックボーンメッセージは、同じページンググループに属する全ての基地局に伝達される（Ｓ２３）。
【００４７】
他の実施例では、ページング案内バックボーンメッセージに、遊休モードにある移動局に対して必要な行動を明示するためのアクションコード（Ａｃｔｉｏｎ  Ｃｏｄｅ）を追加する。
【００４８】
したがって、表５に示すページング案内バックボーンメッセージのフィールドのうち、‘Ｎｕｍ  ＭＳＳ’、‘ＭＳＳ  ＭＡＣ  ａｄｄｒｅｓｓ’、‘ＰＡＧＩＮＧ  ＣＹＣＬＥ’、‘ＰＡＧＩＮＧ  ＯＦＦＳＥＴ’部分を下記の表７のように変更する。
【００４９】
【表７】
2008502203.tif 000009
他の実施例によると、表７に示すように、従来のＰＡＧＩＮＧ＿ＣＹＣＬＥ（１６ｂｉｔ）とＰＡＧＩＮＧ＿ＯＦＦＳＥＴ（８ｂｉｔ）は除去できる。これは、同じページング領域に属する基地局はいずれも同じページング周期とページングオフセットを持つためである。
【００５０】
その代わりに、前記ページング案内バックボーンメッセージにアクションコード（例えば、３ビットのアクションコード）を追加して、特定移動局のＭＡＣアドレスをページング目録に追加する（Ａｃｔｉｏｎ  Ｃｏｄｅ＝０）。また、特定移動局のＭＡＣアドレスをページング目録から除去する（Ａｃｔｉｏｎ  Ｃｏｄｅ＝１）。また、位置情報更新のためにレインジング（ｒａｎｇｉｎｇ）を行う（Ａｃｔｉｏｎ  Ｃｏｄｅ＝２）。また、遊休モードを終了し、再びネットワークに再登録手順を行うように明示することが可能である（Ａｃｔｉｏｎ  Ｃｏｄｅ＝３）。
【００５１】
ページングメッセージの例示的なフォーマットで、各基地局が遊休モード状態にある移動局にページングを通じて転送するページングメッセージＭＯＢ−ＰＡＧ＿ＡＤＶの形式は、表６の通りである。前記ページングメッセージは、放送（Ｂｒｏａｄｃａｓｔ）形態に移動局に伝達されることが好ましい。
【００５２】
前記ページングメッセージを受信した移動局は、アクションコード（例えば、２ビットのアクションコード）から、自身が継続して遊休モードを維持できるのか（Ａｃｔｉｏｎ  Ｃｏｄｅ＝００）、位置情報更新のためにレインジング（ｒａｎｇｉｎｇ）を行わなければならないのか（Ａｃｔｉｏｎ  Ｃｏｄｅ＝０１）、自身に伝達されなければならない下りトラフィックを受信するために遊休モードを終了しなければならないのか（Ａｃｔｉｏｎ  Ｃｏｄｅ＝１０）を決定できる。
【００５３】
ある移動局の遊休モードへの切り替えを許容した基地局は、自身と同じページング領域に含まれる全ての基地局にページング案内バックボーンメッセージのアクションコードを０と設定して転送する（Ｓ２３）。前記ページング案内バックボーンメッセージを受信した基地局は、自身のページング目録に該当の移動局のＭＡＣアドレスを保存し、ページング周期ごとにこれをページングメッセージＭＯＢ−ＰＡＧ＿ＡＤＶを通じて転送する（Ｓ２４）。
【００５４】
前記ページングメッセージを受信できるという事実だけでも移動局は、自身が遊休モードを継続して維持できるということがわかるため、ある行動が必要な移動局、すなわち、ネットワークへの再登録をしなければならないか、位置情報更新のためのレインジングを行なわなければならない移動局のＭＡＣアドレスだけを含むことによって、無線資源の浪費を防ぐことができる。したがって、表６に示すページングメッセージＭＯＢ−ＰＡＧ＿ＡＤＶの‘ＭＳＳ  ＭＡＣ  Ａｄｄｒｅｓｓ  ｈａｓｈ’、‘Ａｃｔｉｏｎ  Ｃｏｄｅ’フィールド部分を、下記の表８のように変更することが好ましい。
【００５５】
【表８】
2008502203.tif 000010
移動局に伝達しなければならない下りトラフィックがあり、移動局が遊休モードを終了するようにする必要がある場合、基地局は、該当の移動局が現在ページング領域のどの基地局の領域にあるかがわからない。したがって、該当の基地局は、変更されたページング案内バックボーンメッセージのアクションコードを３に設定して、自身と同じページング領域における全ての基地局に伝達する。
【００５６】
前記ページング案内バックボーンメッセージを受信した基地局は、ページングメッセージのアクションコードを００に設定して全ての移動局に放送することによって、該当の移動局が遊休モードを終了し、ネットワークへの再登録のための手順を行うようにすることができる。
【００５７】
移動局が正常に遊休モードを終了した後、基地局は、ページング領域内の全ての基地局に、変更されたページング案内バックボーンメッセージのアクションコードを１に設定して伝達することによって、それからはその移動局に対するページングをしないようにすることができる。
【００５８】
図３は、本発明の一実施例による、遊休モードにある移動局に伝達しなければならない下りトラフィックが発生した場合、遊休モードを終了する手順を示す処理流れ図である。
【００５９】
図３を参照すると、各基地局は、遊休モードにある移動局がどの基地局の領域にあるかがわからないため、下りトラフィックは、無条件で該当の移動局が初めて遊休モードへの切り替えを要請した基地局（最初基地局）に伝達される。
【００６０】
自身が遊休モードへの切り替えを許容した移動局への下りトラフィックが受信されると、第１基地局（最初基地局）は、自身の属しているページング領域にある全ての基地局にアクションコードを１１に設定してページング案内バックボーンメッセージを転送する（Ｓ３１）。
【００６１】
前記ページング案内メッセージを受信した全ての基地局は、自身の領域にある全ての移動局にページングメッセージＭＯＶ＿ＰＡＧ＿ＡＤＶのアクションコードを１０に設定して放送形態に転送する（Ｓ３２）。
【００６２】
前記ページングメッセージを受信した該当の移動局は、遊休モードを終了し、現在自身が位置する領域を担当する第２基地局（現在基地局）にネットワークへの再登録を要請する（Ｓ３３）。前記第２基地局は、前記ページング案内メッセージを通じて前記第１基地局の基地局ＩＤが確認できる。
【００６３】
再登録要請を受けた前記第２基地局は、基地局間に有線で転送されるＭＳＳ＿Ｉｎｆｏ＿Ｒｅｑｕｅｓｔバックボーンメッセージのアクションフラッグ（Ａｃｔｉｏｎ  ｆｌａｇ）を１に設定して転送することによって、前記第１基地局が探そうとする移動局が自身の領域にあることを知らせる（Ｓ３４）。前記ＭＳＳ＿Ｉｎｆｏ＿Ｒｅｑｕｅｓｔバックボーンメッセージの形式は、下記表９の通りである。
【００６４】
【表９】
2008502203.tif 000011
前記ＭＳＳ＿Ｉｎｆｏ＿Ｒｅｑｕｅｓｔを受信した前記第１基地局は、ページング案内バックボーンメッセージを通じて、自身と同じページング領域にある全ての基地局に、遊休モードを終了した移動局をページング目録から削除することを知らせる。
【００６５】
前記第１基地局はまた、表１０のような形式を持つデータ伝達メッセージを通じて今まで自身に受信された移動局のトラフィックを転送することが好ましい。
【００６６】
【表１０】
2008502203.tif 000012
移動局に伝達しなければならない下りトラフィックがあり、移動局が遊休モードを終了するようにする必要がある場合を除いて移動局の遊休モードを終了する必要がある場合では、基地局がページングを通じて移動局が遊休モードを終了するように要請する前に、移動局が先に遊休モードを終了する手順を行う。
【００６７】
移動局から遊休モードを終了し、ネットワークへの再登録をするという要請を受けた基地局は、自身と同じページング領域に属する全ての基地局にページング案内バックボーンメッセージのアクションコードを１に設定して伝達することによって、該当の移動局をページング目録から除去するようにする。
【００６８】
図４は、本発明の一実施例によるページング制御機を備えた広帯域無線接続システムを示す構成図である。
【００６９】
図４を参照すると、ページング制御機は、少なくとも一つのページンググループに属する基地局と遊休モード支援に必要な情報を送受信することによって、基地局を介して各基地局領域内の移動局に対する遊休モード制御を行う。すなわち、ページング制御機を介して基地局間に遊休モード提供に必要な情報の送受信が行われることができる。前記ページング制御機は、特定基地局に備えられても良く、基地局と別に備えられても良い。
【００７０】
図５は、本発明の一実施例によるページング制御機が備えられた広帯域無線接続システムで、ページンググループに属する基地局を管理するための手順を示す処理流れ図である。
【００７１】
図５に示すように、ページング制御機は、バックボーンメッセージを用いて各ページンググループに属する基地局を制御できる。例えば、ページンググループ動作要請（Ｐａｇｉｎｇ−ｇｒｏｕｐ−ａｃｔｉｏｎ  ｒｅｑｕｅｓｔ）バックボーンメッセージのアクションコードを用いて、基地局にページンググループを割り当てる（Ａｃｔｉｏｎ  Ｃｏｄｅ＝００００）、特定ページンググループから除去する（Ａｃｔｉｏｎ  Ｃｏｄｅ＝０００１）、該当の基地局のページング情報を要請する（Ａｃｔｉｏｎ  Ｃｏｄｅ＝００１０）、または、他の基地局のページング情報を知らせることができる（Ａｃｔｉｏｎ  Ｃｏｄｅ＝００１１）（Ｓ５１）。表１１に、ページンググループ動作要請メッセージの一例を示す。
【００７２】
【表１１】
2008502203.tif 000013
基地局は、基地局によってページング制御機に伝達されるページンググループ動作応答（Ｐａｇｉｎｇ−ｇｒｏｕｐ−ａｃｔｉｏｎ  ｒｅｓｐｏｎｓｅ）メッセージのアクションコードを用いて、遊休モード提供に必要な情報を転送できる（Ｓ５２）。例えば、ページング制御機がページンググループに対して追加または除去するために転送したページンググループ動作要請メッセージに対する応答を転送でき（Ａｃｔｉｏｎ  Ｃｏｄｅ＝００００）、自身のページング情報を提供するか（Ａｃｔｉｏｎ  Ｃｏｄｅ＝０００１）、他の基地局のページング情報を要請できる（Ａｃｔｉｏｎ  Ｃｏｄｅ＝００１０）。表１２に、ページンググループ動作応答メッセージの一例を示す。
【００７３】
【表１２】
2008502203.tif 000014
図６は、本発明の一実施例によるページング制御機が備えられた広帯域無線接続システムで、遊休モード開始手順（Ｉｄｌｅ  Ｍｏｄｅ  Ｉｎｉｔｉａｔｉｏｎ  Ｐｒｏｃｅｄｕｒｅ）を示す処理流れ図である。
【００７４】
図６に示すように、移動局（ＭＳＳ；Ｍｏｂｉｌｅ  Ｓｕｂｓｃｒｉｂｅｒ  Ｓｔａｔｉｏｎ）が遊休モードに切り替えようとする場合、自身の属する基地局に遊休モード切り替え要請ＤＲＥＧ−ＲＥＱメッセージを転送することによって、遊休モード切り替えを要請する（Ｓ６１）。前記ＤＲＥＧ−ＲＥＱメッセージは、自身の属する基地局から登録解除を要請する情報（Ｄｅ−ｒｅｇｉｓｔｒａｔｉｏｎ  Ｒｅｑｕｅｓｔ  Ｃｏｄｅ）とＴＬＶエンコーディングされた情報（例えば、ページング周期要請ＴＬＶ、遊休モード維持情報ＴＬＶ、ＭＡＣハッシュ省略限度値ＴＬＶ）を含むことができる。
【００７５】
遊休モード切り替え要請メッセージを受信した基地局は、遊休モードへの切り替えを要請する移動局の情報を知らせるための遊休モード情報要請メッセージＩｄｌｅ−Ｉｎｆｏ−ＲＥＱをページング制御機に転送する（Ｓ６２）。表１３に、遊休モード情報要請メッセージの一例を示す。
【００７６】
【表１３−１】
2008502203.tif 000015
【００７７】
【表１３−２】
2008502203.tif 000016
表１３に示すように、遊休モード情報要請メッセージは、特定移動局が遊休モードに切り替えを要請するという情報、移動局のＭＡＣアドレス、移動局のサービスフロー情報及びＴＬＶエンコーディングされた情報（例えば、遊休モード維持情報ＴＬＶ、ＭＡＣハッシュ省略限度値ＴＬＶ）を含むことができる。
【００７８】
前記遊休モード情報要請メッセージを受信したページング制御機は、遊休モード情報要請メッセージを転送した前記基地局に、遊休モード情報応答Ｉｄｌｅ−Ｉｎｆｏ−ＲＳＰメッセージを転送する（Ｓ６３）。この時、基地局から転送された前記遊休モード情報要請メッセージにＭＡＣハッシュ省略限度値に関する情報が含まれた場合、ページング制御機は、前記ページンググループ内に属する全ての基地局に前記遊休モード情報応答メッセージを転送する（Ｓ６５）。
【００７９】
表１４に、遊休モード情報応答Ｉｄｌｅ−Ｉｎｆｏ−ＲＳＰメッセージの一例を示す。
【００８０】
【表１４−１】
2008502203.tif 000017
【００８１】
【表１４−２】
2008502203.tif 000018
表１４に示すように、遊休モード情報応答Ｉｄｌｅ−Ｉｎｆｏ−ＲＳＰメッセージは、移動局が遊休モードに切り替えたことを知らせる情報、移動局のＭＡＣアドレス、移動局のサービスフロー情報及びＴＬＶエンコーディングされた情報（例えば、ページング情報ＴＬＶ、ページング制御機ＩＤ  ＴＬＶ、遊休モード維持情報ＴＬＶ、ＭＡＣハッシュ省略限度値ＴＬＶ）を含むことができる。
【００８２】
遊休モード情報応答Ｉｄｌｅ−Ｉｎｆｏ−ＲＳＰメッセージを受信した基地局は、遊休モード切り替えを要請した前記移動局に、遊休モード指示メッセージＤＲＥＧ−ＣＭＤを転送する（Ｓ６４）。前記遊休モード指示メッセージは、遊休モード切り替えを指示する情報と、ＴＬＶエンコーディングされた情報（例えば、ページング情報ＴＬＶ、ページング制御機ＩＤ  ＴＬＶ、遊休モード維持情報ＴＬＶ、ＭＡＣハッシュ省略限度値ＴＬＶ）を含むことができる。
【００８３】
図７は、本発明の一実施例によるページング制御機が備えられた広帯域無線接続システムで、遊休モードの移動局にトラフィックが発生した場合を示す処理流れ図である。
【００８４】
図７に示すように、移動局が遊休モード状態に切り替える（Ｓ７１〜Ｓ７４）。遊休モード状態の移動局は、遊休モードへの切り替えを行った基地局領域に留まっているか、他の基地局領域へ移動することができる。本実施例では、前記移動局が遊休モード状態から第２基地局領域へ移動した場合の一例を説明する。
【００８５】
遊休モード状態で下りリンクトラフィックが発生した場合、遊休モード切り替え時に移動局の属していた基地局（以下、第１基地局）は、前記遊休モード状態の移動局に下りリンクトラフィックが発生したことを知らせる情報を、ページング制御機に転送する（Ｓ７５）。前記ページング制御機は、前記遊休モード状態の移動局が遊休モードを終了し、ネットワークに再進入することを知らせるためのページング案内（Ｐａｇｉｎｇ−ａｎｎｏｕｎｃｅ）メッセージを、ページング領域に存在する全ての基地局に転送する（Ｓ７６〜Ｓ７７）。これによって、基地局はページング広告メッセージ（ＭＯＢ＿ＰＡＧ−ＡＤＶ）を放送する。このページング広告メッセージの一例は、上記の表６に示されている。
【００８６】
表１５に、ページング案内メッセージの一例を示す。
【００８７】
【表１５】
2008502203.tif 000019
遊休モード状態で、第２基地局の領域へ移動した移動局は、ページング領域に一定周期ごとに放送されるページング広告メッセージ（ＭＯＢ＿ＰＡＧ−ＡＤＶ）を通じて、自身に下りトラフィックが発生したことを認識し、ネットワークに再進入するためのレインジング要請メッセージを第２基地局に転送する（Ｓ７８）。第２基地局は、ページング制御機に遊休モード情報要請メッセージを用いて、移動局がページングに応答したことを知らせ、遊休モード切り替え以前の移動局セッション情報を要請する（Ｓ７９）。ページング制御機は、移動局のセッション情報及び移動局が遊休モードに切り替える当時に移動局が位置していた基地局に関する情報を含む遊休モード情報応答メッセージを、第２基地局に転送する（Ｓ８０）。
【００８８】
第２基地局は、ページング制御機が転送する移動局のセッション情報及び遊休モード維持情報に基づいて、ハンドオーバー最適化フラグを含むレインジング応答メッセージを移動局に転送する（Ｓ８１）。移動局がネットワーク再進入過程を行うと（Ｓ８２）、現在移動局が位置した領域を担当する第２基地局は、遊休モード情報要請メッセージを用いて、前記移動局がネットワークに再進入したことを前記ページング制御機に知らせるが（Ｓ８３）、この時、第２基地局はレインジング応答メッセージに含まれたハンドオーバー最適化フラグを含めることができる。
【００８９】
ページング制御機は、移動局が第１基地局で遊休モードに切り替えた後、現在第２基地局領域でネットワークに再進入したことを認識し、遊休モード情報応答メッセージを用いて第１基地局に伝達されたトラフィックを、第２基地局を通じて移動局に転送することを指示する（Ｓ８４）。
【００９０】
第１基地局は、前記ページング制御機の指示によって、第２基地局にトラフィックを伝達し、第２基地局は移動局にトラフィックを転送する（Ｓ８５）。ページング制御機は、遊休モード情報応答メッセージを用いて、ページンググループに属する全ての基地局に前記移動局が遊休モードを終了したことを知らせる（Ｓ８６）。ページング制御機から前記遊休モード情報応答メッセージを受信した各基地局は、遊休モード移動局リストから前記移動局のＭＡＣアドレスを除去する。
【００９１】
一実施例において、遊休モードにある移動局に伝達されるべき下りトラフィックがページング制御機を介して伝達される場合には、Ｓ７５またはＳ８４段階を省略しても良い。
【００９２】
他の実施例として、ページング制御機（ｐａｇｉｎｇ  ｃｏｎｔｒｏｌｌｅｒ）を用いて無線通信システムで遊休モード（ｉｄｌｅ  ｍｏｄｅ）にある移動局（ｍｏｂｉｌｅ  ｓｔａｔｉｏｎ）を支援する方法は、移動局が遊休モードに進入する段階を含む。また、同じページンググループに属した複数の基地局のうち少なくとも一つから、前記ページング制御機から転送されたページング案内（ｐａｇｉｎｇ  ａｎｎｏｕｎｃｅｍｅｎｔ）に対する応答として前記複数の基地局のうち少なくとも一つから発生し、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を受信する段階を含む。また、前記同じページンググループに属した複数の基地局は、前記ページング制御機から遊休モード終了状態を受信し、前記移動局は、前記遊休モードを終了し（ｅｘｉｔｉｎｇ）、前記複数の基地局のうち一つと連結を設定する段階を含む。
【００９３】
前記ページング案内（ｐａｇｉｎｇ  ａｎｎｏｕｎｃｅｍｅｎｔ）は、好ましくは、前記移動局に伝達される下りリンクトラフィックデータ（ｄｏｗｎｌｉｎｋ  ｔｒａｆｆｉｃ  ｄａｔａ）がある場合、前記ページング制御機から生成されることができる。また、前記ページング案内（ｐａｇｉｎｇ  ａｎｎｏｕｎｃｅｍｅｎｔ）は、好ましくは、前記移動局から上りリンクトラフィックデータ（ｕｐｌｉｎｋ  ｔｒａｆｆｉｃ  ｄａｔａ）がある場合、前記ページング制御機から生成されることができる。前記遊休モード応答命令語は、好ましくは、ページング識別子（ｐａｇｉｎｇ  ｉｄｅｎｔｉｆｉｅｒ）、ページング周期（ｃｙｃｌｅ）及びページング周期オフセット（ｏｆｆｓｅｔ）のうち少なくとも一つを含むことができる。前記遊休モードを終了し（ｅｘｉｔｉｎｇ）、連結を設定する段階は、好ましくは、前記移動局と関連した前記複数の基地局のうち一つにレインジング要請（ｒａｎｇｉｎｇ  ｒｅｑｕｅｓｔ）を転送する段階と、前記複数の基地局のうち一つからレインジング応答（ｒａｎｇｉｎｇ  ｒｅｓｐｏｎｓｅ）を受信する段階と、をさらに含むことができる。
【００９４】
前記ページング案内（ｐａｇｉｎｇ  ａｎｎｏｕｎｃｅｍｅｎｔ）は、好ましくは、（１）ページングリストに前記移動局を追加；（２）前記ページングリストから前記移動局を除去；（３）位置を設立するためにレインジング遂行；及び、（４）ネットワーク進入のうち、少なくとも一つを含むページング案内アクションコード（ｐａｇｉｎｇ  ａｎｎｏｕｎｃｅｍｅｎｔ  ａｃｔｉｏｎ  ｃｏｄｅ）を含むことができる。前記ページング命令語アクションコード（ｐａｇｉｎｇ  ｃｏｍｍａｎｄ  ａｃｔｉｏｎ  ｃｏｄｅ）は、好ましくは、（１）ネットワーク進入；及び、（２）位置を設立するためにレインジング遂行のうち、少なくとも一つを含むことができる。
【００９５】
前記遊休モード進入段階は、好ましくは、前記ページンググループに関連した複数の基地局を制御するページング制御機と関連したサービング基地局（ｓｅｒｖｉｎｇ  ｂａｓｅ  ｓｔａｔｉｏｎ）に遊休モードへの進入を要請する段階をさらに含むことができる。また、前記遊休モード進入段階は、好ましくは、前記遊休モードに進入するための遊休モード応答命令語（ｉｄｌｅ  ｍｏｄｅ  ｒｅｓｐｏｎｓｅ  ｃｏｍｍａｎｄ）を、前記サービング基地局から受信する段階をさらに含むことができる。
【００９６】
好ましくは、前記ページング制御機は、ページング制御機識別子で識別され、前記移動局は、ＭＡＣ（ｍｅｄｉｕｍ  ａｃｃｅｓｓ  ｃｏｎｔｒｏｌｌｅｒ）識別子で識別されうる。前記ページング命令語は、好ましくは、前記ＭＡＣ識別子を用いて前記移動局を識別する情報を含むことができる。前記ページング案内は、好ましくは、前記ＭＡＣ識別子を用いて前記移動局を識別する情報を含むことができる。前記移動局による遊休モード進入段階は、好ましくは、前記ページング制御機が前記ページンググループに属した複数の基地局に、前記移動局の遊休モード進入状態（ｉｄｌｅ  ｍｏｄｅ  ｅｎｔｅｒｉｎｇ  ｓｔａｔｕｓ）を知らせる段階をさらに含むことができる。
【００９７】
さらに他の実施例として、ページング制御機（ｐａｇｉｎｇ  ｃｏｎｔｒｏｌｌｅｒ）を用いて無線通信システムでネットワークによって遊休モード（ｉｄｌｅ  ｍｏｄｅ）を支援する方法は、遊休モードに進入するために移動局（ｍｏｂｉｌｅ  ｓｔａｔｉｏｎ）から制御機は、ページンググループに属した複数の基地局を制御するページング制御機と関連したサービング基地局（ｓｅｒｖｉｎｇ  ｂａｓｅ  ｓｔａｔｉｏｎ）へ向かう要請（ｒｅｑｕｅｓｔ）を受信する段階を含む。また、前記遊休モードに進入するための遊休モード応答命令語（ｉｄｌｅ  ｍｏｄｅ  ｒｅｓｐｏｎｓｅ  ｃｏｍｍａｎｄ）を、前記サービング基地局から前記移動局へ転送する段階を含む。また、同じページンググループに属した複数の基地局のうち少なくとも一つから、前記ページング制御機から転送されたページング案内に対する応答として前記複数の基地局のうち少なくとも一つから発生し、前記移動局が遊休モードにある間、前記ページンググループに含まれた複数の基地局のうち少なくとも一つに関する前記移動局の連結可能性（ａｖａｉｌａｂｉｌｉｔｙ）を確認するためにレインジング（ｒａｎｇｉｎｇ）を行うことと関連したページング命令語アクションコード（ｐａｇｉｎｇ  ｃｏｍｍａｎｄ  ａｃｔｉｏｎ  ｃｏｄｅ）を含むページング命令語（ｐａｇｉｎｇ  ｃｏｍｍａｎｄ）を転送する段階を含む。また、前記複数の基地局のうち一つと前記移動局との間に連結を設定する段階（ｅｓｔａｂｌｉｓｈｉｎｇ）を含む。また、前記ページング制御機から前記同じページンググループに属した複数の基地局へ向かう遊休モード終了状態（ｉｄｌｅ  ｍｏｄｅ  ｅｘｉｔ  ｓｔａｔｕｓ）を転送する段階を含む。
【００９８】
また、好ましくは、前記移動局と相応する情報を提供するために、前記サービング基地局から前記ページング制御機に遊休モード情報要請メッセージ（ｉｄｌｅ  ｍｏｄｅ  ｉｎｆｏｒｍａｔｉｏｎ  ｒｅｑｕｅｓｔ  ｍｅｓｓａｇｅ）を転送する段階をさらに含むことができる。また、好ましくは、前記ページング制御機で前記サービング基地局から前記遊休モード情報要請メッセージを受信する段階と、前記遊休モード情報要請メッセージがＭＡＣハッシュ省略限度値（ｍｅｄｉｕｍ  ａｃｃｅｓｓ  ｃｏｎｔｒｏｌｌｅｒ  ｈａｓｈ  ｓｋｉｐ  ｔｈｒｅｓｈｏｌｄ）と相応する情報を含む場合、前記ページング制御機から前記複数の基地局のうち少なくとも一つに遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する段階とをさらに含むことができる。
【００９９】
また、好ましくは、前記ページング制御機で前記サービング基地局から前記遊休モード情報要請メッセージを受信する段階と、前記ページング制御機から前記サービング基地局へ遊休モード情報応答メッセージ（ｉｄｌｅ  ｍｏｄｅ  ｉｎｆｏｒｍａｔｉｏｎ  ｒｅｓｐｏｎｓｅ  ｍｅｓｓａｇｅ）を転送する段階とをさらに含むことができる。前記遊休モード情報応答メッセージは、好ましくは、前記複数の基地局のうち少なくとも一つに転送され、前記移動局が前記遊休モードを終了したことを前記複数の基地局のうち少なくとも一つに知らせるための情報を含むことができる。また、好ましくは、前記遊休モード情報応答メッセージに対する応答として遊休モード命令語メッセージ（ｉｄｌｅ  ｍｏｄｅ  ｃｏｍｍａｎｄ  ｍｅｓｓａｇｅ）を前記サービング基地局から前記移動局へ転送する段階をさらに含むことができる。
【０１００】
本発明によれば、各基地局は、ページング案内バックボーンメッセージを用いて、各基地局がページングを通じて遊休モードにある端末の動作を含むことができる。前記ページング案内バックボーンメッセージは、ページングを通じて基地局間に有線で伝達されることができる。したがって、本発明は、正確に端末が遊休モードにある全ての端末に伝達すべきページングメッセージ（ＭＯＢ−ＰＡＧ＿ＡＤＶ）の大きさを革新的に減少させることが可能になる。また、本発明は、ページング制御機を備えた広帯域無線接続システムにおいて、ページング制御機を用いてより效率的に遊休モードを支援できるという効果がある。
【０１０１】
本発明は、本発明の精神及び必須特徴を逸脱しない範囲で他の特定の形態に具体化できることは、当業者にとっては自明である。したがって、上記の詳細な説明はあらゆる面において制約的に解釈されてはいけなく、例示的なものとして考慮されなければならない。本発明の範囲は、添付の特許請求の範囲の合理的な解釈によって決定されるべきであり、本発明の等価的範囲内における変更はいずれも本発明の範囲に含まれる。
【図面の簡単な説明】
【０１０２】
【図１】本発明の一実施例によるページンググループを示す構成図である。
【図２】本発明の一実施例による遊休モード手順を示す処理流れ図である。
【図３】本発明の一実施例による、遊休モードにある移動局に伝達すべき下りトラフィックが発生した場合に遊休モードを終了する手順を示す処理流れ図である。
【図４】本発明の一実施例によるページング制御機を備えた広帯域無線接続システムを示す構成図である。
【図５】本発明の一実施例によるページング制御機が備えられた広帯域無線接続システムにおいて、ページンググループに属する基地局を管理するための手順を示す処理流れ図である。
【図６】本発明の一実施例によるページング制御機が備えられた広帯域無線接続システムにおいて、遊休モード開始手順（Ｉｄｌｅ  Ｍｏｄｅ  Ｉｎｉｔｉａｔｉｏｎ  Ｐｒｏｃｅｄｕｒｅ）を示す処理流れ図である。
【図７】本発明の一実施例によるページング制御機が備えられた広帯域無線接続システムにおいて、遊休モードの移動局にトラフィックが発生した場合を示す処理流れ図である。
【図１】
2008502203.tif 000020
【図２】
2008502203.tif 000021
【図３】
2008502203.tif 000022
【図４】
2008502203.tif 000023
【図５】
2008502203.tif 000024
【図６】
2008502203.tif 000025
【図７】
2008502203.tif 000026
【国際調査報告】
2008502203.tif 000027
2008502203.tif 000028
2008502203.tif 000029